(57)【要約】【課題】座と背凭れが分離した構造であっても、取付強度が大きく、高さの大きい背凭れを使用可能にした椅子を提供する。【解決手段】上部に肘掛け部１２を有する左右１対の脚フレーム２における前記肘掛け部１２の後端部に、背凭れ３を取り付けてなる椅子１において、前記左右の肘掛け部１２の後端部に、背凭れ３の中間部の左右両側部を取り付けるとともに、座４の下方において前記脚フレーム２の前部から後向きに延出する座支持杆１５の後端に、前記背凭れ３の下部から前方に向かって延出する連結片３４を結合する。【選択図】図１
2006136569.tif 000002
【特許請求の範囲】
【請求項１】
上部に肘掛け部を有する左右１対の脚フレームにおける前記肘掛け部の後端部に、背凭れを取り付けてなる椅子において、
前記左右の肘掛け部の後端部に、背凭れの中間部の左右両側部を取り付けるとともに、座の下方において前記脚フレームの前部から後向きに延出する座支持杆の後端に、前記背凭れの下部から前方に向かって延出する連結片を結合したことを特徴とする椅子。
【請求項２】
左右の脚フレームを、上下方向を向く前脚を有する側部フレームと、両側部フレームの前脚同士を連結する連結杆を備えるものとし、この連結杆に、座支持杆の前端を、後向きに固定した請求項１記載の椅子。
【請求項３】
座支持杆および連結片を左右１対とし、それらの対向端部同士を互いに結合した請求項１または２記載の椅子。
【請求項４】
座支持杆を管材により形成し、背凭れの連結片の前端に突設した連結軸を前記座支持杆の後端の開口部より内部に緊密に嵌合させてなる請求項１〜３のいずれかに記載の椅子。
【請求項５】
座の後部を、座支持杆における連結片との結合部に載置して支持してなる請求項１〜４のいずれかに記載の椅子。
【請求項６】
座の後部と座支持杆と連結片とを、ねじにより共締めして固定してなる請求項５記載の椅子。
【請求項７】
脚フレームが上下方向を向く後脚を有するものにおいて、座支持杆の後部と後脚とを補強杆により連結した請求項１〜６のいずれかに記載の椅子。
【請求項８】
背凭れのフレームとなる背シェルを合成樹脂により形成し、この背シェルに連結片を一体成形した請求項１〜７のいずれかに記載の椅子。
【発明の詳細な説明】
【技術分野】
【０００１】
本発明は、左右の脚フレームの上端を座より高くして肘掛け部とし、両肘掛け部の後部に背凭れを取り付けた椅子に関する。
【背景技術】
【０００２】
従来、左右の脚フレームの後部に、背凭れの左右両側を、上下２本のボルトにより取り付けた椅子がある（例えば特許文献１参照）。
【特許文献１】特開２００３−１３５２００号公報
【発明の開示】
【発明が解決しようとする課題】
【０００３】
上記特許文献１に記載されている従来の椅子は、背凭れを取り付ける部分が、脚フレームの肘掛け部後端から下方に向けて延設されているため、上下のボルトの間隔は狭くならざるを得ず、しかも、上部のボルトから上方では背凭れの支持部分がないため、背凭れの高さが大きくなると強度が保てなくなり、したがって、高い背凭れの使用が困難であるという問題がある。
【０００４】
高さの大きい背凭れを使用する場合は、通常、背凭れを座と一体に形成して、背凭れの支持強度を大とすることが多く、このような椅子では、座と背凭れが連続してしまうため、座と背凭れが分離した、多様なデザインを採用しにくいという問題がある。
【０００５】
本発明は、上記問題点に鑑みてなされたもので、背凭れの支持強度を大きくすることにより、座と背凭れを分離した構造のデザインとすることができ、かつ高さの大きい背凭れを使用可能にした椅子を提供することを目的としている。
【課題を解決するための手段】
【０００６】
本発明によると、上記課題は、次のようにして解決される。
(１)上部に肘掛け部を有する左右１対の脚フレームにおける前記肘掛け部の後端部に、背凭れを取り付けてなる椅子において、前記左右の肘掛け部の後端部に、背凭れの中間部の左右両側部を取り付けるとともに、座の下方において前記脚フレームの前部から後向きに延出する座支持杆の後端に、前記背凭れの下部から前方に向かって延出する連結片を結合する。
【０００７】
(２)上記(１)項において、左右の脚フレームを、上下方向を向く前脚を有する側部フレームと、両側部フレームの前脚同士を連結する連結杆を備えるものとし、この連結杆に、座支持杆の前端を、後向きに固定する。
【０００８】
(３)上記(１)または(２)項において、座支持杆および連結片を左右１対とし、それらの対向端部同士を互いに結合する。
【０００９】
(４)上記(１)〜(３)項のいずれかにおいて、座支持杆を管材により形成し、背凭れの連結片の前端に突設した連結軸を前記座支持杆の後端の開口部より内部に緊密に嵌合させる。
【００１０】
(５)上記(１)〜(４)項のいずれかにおいて、座の後部を、座支持杆における連結片との結合部に載置して支持する。
【００１１】
(６)上記(５)項において、座の後部と座支持杆と連結片とを、ねじにより共締めして固定する。
【００１２】
(７)上記(１)〜(６)項のいずれかにおいて、脚フレームが上下方向を向く後脚を有するものにおいて、座支持杆の後部と後脚とを補強杆により連結する。
【００１３】
(８)上記(１)〜(７)項のいずれかにおいて、背凭れのフレームとなる背シェルを合成樹脂により形成し、この背シェルに連結片を一体成形する。
【発明の効果】
【００１４】
(ａ)請求項１記載の発明によると、背凭れを、肘掛け部の後端部と、座の下方に設けた座支持杆の後部とに固定したことにより、上下に大きく離間した２箇所で背凭れが支持されることとなる。従って、背凭れに作用する後向きの荷重に対し高い強度で支持することが可能となり、高い背凭れを取り付けることが可能になる。
【００１５】
また、高さの大きい背凭れであっても、座と分離させて取付けることができるため、多種多様なデザインの椅子を提供することができる。
【００１６】
(ｂ)請求項２記載の発明によると、左右の側部フレームの前脚に連結された連結杆に座支持杆を固着したことにより、座支持杆が実質的に左右の側部フレームにより安定して支持され、背凭れの下部も確実に固定されるとともに、側部フレームの横ぶれを防止することができる。
【００１７】
(ｃ)請求項３記載の発明によると、背凭れの下部の結合箇所が左右に離間した２箇所となるため、背凭れにかかる左右方向の荷重に対しても高強度が得られる。
【００１８】
(ｄ)請求項４記載の発明によると、座支持杆に連結片を簡単に取付けうるとともに、両者は一体感をもって連結されるので、見栄えが良好となる。
【００１９】
(ｅ)請求項５記載の発明によると、座の後部を座支持杆により、確実にかつ安定して支持することができる。
【００２０】
(ｆ)請求項６記載の発明によると、座の後部と座支持杆と連結片とを１本のねじにより容易に結合することができ、組立時の作業能率が向上するとともに、部品点数が削減される。
【００２１】
(ｇ)請求項７記載の発明によると、座支持杆の取付強度が高くなるので、背凭れの支持強度も大となる。
【００２２】
(ｈ)請求項８記載の発明によると、連結片を、合成樹脂よりなる背シェルと一体に形成したことにより、部品点数が少なく、かつ座支持杆との結合も簡単に行うことができる。
【発明を実施するための最良の形態】
【００２３】
以下、本発明の実施形態を、添付図面を参照して説明する。
図１は、本発明の椅子の第１の実施形態を示す一部切欠き側面図、図２は、脚フレームの斜視図、図３は、背凭れと、その脚フレームへの取付部の後面図である。
【００２４】
図１〜図３に示すように、本発明の椅子(１)は、脚フレーム(２)と、この脚フレーム(２)に取り付けられた背凭れ(３)および座(４)とを有している。背凭れ(３)は、背凭れのフレームを構成する合成樹脂製の枠状の背シェル(５)と、この背シェル(５)に取り付けられたメッシュ状の背当て材(６)とからなっている。座(４)は、下部の座フレーム(７)と、その上部に設けられたクッション材(８)とからなっている。
【００２５】
図２に示すように、脚フレーム(２)は、左右１対の側部フレーム(９)(９)を有している。側部フレーム(９)は、後脚(10)と、前脚(11)と、前脚(11)における座(４)よりも上方の上端部に後向きに折曲げ形成された肘掛け部(12)とからなっている。
【００２６】
後脚(10)の上端には、横向き筒状の取付部(13)が設けられ、肘掛け部(12)の後端は、この取付部(13)の前部に固着されている。
【００２７】
両前脚(11)の中間には、左右方向に向く連結杆(14)が連結されている。この連結杆(14)の左右両側部の後面には、後方に向く１対の断面楕円形の管材からなる座支持杆(15)(15)が連結されている（図６参照）。この座支持杆(15)の後端部には取付孔(16)が設けられている。
【００２８】
座支持杆(15)の後端の外側面と、後脚(10)の前面との間には、補強杆(17)が連結されている。連結杆(14)における座支持杆(15)の連結部の上面には、前方に突出する、取付孔(18)付きの左右１対の取付片(19)(19)が固着されている。
【００２９】
図３〜図５に示すように、左右（左右対称につき、一方のみ図示する）の  取付部(13)には、横向き取付孔(20)と、内側面の中央部に形成された円形凸部(21)の中心に貫通する小径の貫通孔(22)とが形成されている。
【００３０】
背シェル(５)の下方寄りの左右両側端部には、外向きに突出する取付筒部(23)が形成され、この取付筒部(23)には、外向きに開口する取付孔(24)が形成されている。取付孔(24)の奥端(25)よりも奥部、すなわち、背シェル(５)の内部には、取付孔(24)に、貫通孔(26)を介して連通する大径孔(27)と、この大径孔(27)と連通する小径孔(28)とが形成されている。
【００３１】
背シェル(５)の後面には、大径孔(27)と小径孔(28)とに通じる開口部(29)が形成されている（図３および図４参照）。
【００３２】
背凭れ(３)は、次のようにして脚フレーム(２)に取り付けられている。
【００３３】
まず開口部(29)から座金(30)を大径孔(27)に挿入するとともに、ナット(31)を小径孔(28)に挿入する。ナット(31)は小径孔(28)に係合されて回転しないようになっている。
【００３４】
ついで、取付筒部(23)の取付孔(24)を取付部(13)の円形凸部(21)に嵌合させ、ボルト(32)を取付部(13)の取付孔(20)から挿入し、ナット(31)に螺合させて締付ける。これにより、背凭れ(３)の側端の下方寄りが取付部(13)に固定される。取付部(13)の取付孔(20)は、キャップ(33)により塞がれている。
【００３５】
図１及び図３に示すように、背シェル(３)の下端には、前方に突出する左右１対の連結片(34)(34)が一体的に連設され、両連結片(34)の先端には、座支持杆(15)に緊密に嵌合される楕円形断面の連結軸(34a)が突設されている。
【００３６】
図６に示すように、両連結軸(34a)を、座支持杆(15)の後端に緊密に嵌合させて、座支持杆(15)の取付孔(16)および連結軸(34a)を貫通する止ねじ(35)により、座フレーム(７)の後端部下面に固定している。
【００３７】
座フレーム(７)の前部は、連結杆(14)に設けられた取付片(19)上に載置され、止ねじ(36)により固定されている。なお、肘掛け部(12)上には、肘当てクッション(12a)が設けられている。
【００３８】
図７は、第２の実施形態の椅子の脚フレーム(２)を示す斜視図である。
脚フレーム(２)は、１本の管材をほぼ側面視後向コ字状に折曲げることにより、左右１対の側部フレーム(９)(９)を有している。側部フレーム(９)(９)は、下端の前後方向を向くベース脚(37)と、その前端から上向きに折曲げられた前脚(38)と、この前脚(38)の上端部から後向きに折曲げ形成された上述と同様の肘掛け部(12)とからなっている。肘掛け部(12)の後端には、上述と同様の横向き筒状の取付部(13)が固着されている。
【００３９】
両前脚(38)の中間には、左右方向に向く連結杆(14)が連結されている。この連結杆(14)の左右両側部の後部に、上述と同様の後方を向く１対の楕円形断面の管材からなる座支持杆(15)(15)が連結されている。ベース脚(37)の後端部同士は、下部連結杆(39)により連結されている。
【００４０】
左右の座支持杆(15)と、取付部(13)への背凭れ(３)および座(４)の取付構造は、第１の実施形態と同一であるので、説明を省略する。
【００４１】
以上のように、上記第１、第２の実施形態においては、背凭れ(３)の下方寄りを、肘掛け部(12)の後部に設けた取付部(13)に止ねじ(32)により固定するともに、背凭れ(３)の下端部に設けた左右１対の前方を向く連結片(34)を、脚フレーム(２)の中間部に設けた後方を向く座支持杆(15)の後端に結合したことにより、背凭れ(３)は、上下に大きく離間した２箇所で支持されることになる。
【００４２】
これにより、背凭れ(３)に作用する後向きの荷重に対し十分な強度で支持することができ、したがって、座(４)と分離した高い背凭れ(３)を取り付けることが可能となる。
【図面の簡単な説明】
【００４３】
【図１】本発明の椅子の第１の実施形態を示す側面図である。
【図２】同じく、脚フレームの斜視図である。
【図３】同じく、背凭れの後面図である。
【図４】同じく、図３のIV部の拡大図である。
【図５】同じく、図４の縦断後面図である。
【図６】同じく、図１のVI-VI線拡大縦断後面図である。
【図７】本発明の第２の実施形態の椅子の脚フレームを示す斜視図である。
【符号の説明】
【００４４】
(１)椅子
(２)脚フレーム
(３)背凭れ
(４)座
(５)背シェル
(６)背当て材
(７)座フレーム
(８)クッション材
(９)側部フレーム
(10)後脚
(11)前脚
(12)肘掛け部
(12a)肘当てクッション
(13)取付部
(14)連結杆
(15)座支持杆
(16)取付孔
(17)補強杆
(18)取付孔
(19)取付片
(20)取付孔
(21)円形凸部
(22)貫通孔
(23)取付筒部
(24)取付孔
(25)奥端
(26)貫通孔
(27)大径孔
(28)小径孔
(29)開口部
(30)座金
(31)ナット
(32)ボルト
(33)キャップ
(34)連結片
(34a)連結軸
(35)止ねじ
(36)止ねじ
(37)ベース脚
(38)前脚
(39)下部連結杆
【図１】
2006136569.tif 000003
【図２】
2006136569.tif 000004
【図３】
2006136569.tif 000005
【図４】
2006136569.tif 000006
【図５】
2006136569.tif 000007
【図６】
2006136569.tif 000008
【図７】
2006136569.tif 000009